【手続補正書】
【提出日】平成18年5月19日(2006.5.19)
【手続補正１】
【補正対象書類名】特許請求の範囲
【補正対象項目名】全文
【補正方法】変更
【補正の内容】
【特許請求の範囲】
【請求項１】
デジタルカメラ機能付き携帯電話機および加速度検出機能を有する車載クレイドルから構成され、前記車載クレイドルが前記デジタルカメラ機能付き携帯電話機を正常に装着・保持している間は前記デジタルカメラ機能付き携帯電話機を監視モードに設定し、この間前記デジタルカメラ機能付き携帯電話機の各機能のうち車室内外監視のための撮影・記録動作あるいは車両運転者の安全運転を妨げる恐れのある機能の動作を停止させることを特徴とする簡易型運転監視装置。
【請求項２】
前記車載クレイドル内に特定の信号列を間欠的に発信する信号発生器を設け、前記信号列を前記デジタルカメラ機能付き携帯電話機と前記車載クレイドル間の接続部を経由して前記デジタルカメラ機能付き携帯電話機側で受信し、前記信号列が正しく受信できたことをもって前記デジタルカメラ機能付き携帯電話機の前記車載クレイドルへの装着が正常に行われたと判定することを特徴とする請求項１記載の簡易型運転監視装置。
【請求項３】
前記デジタルカメラ機能付き携帯電話機が前記監視モードに設定されている間であって、本簡易型運転監視装置を搭載する車両のエンジンが動作状態となったとき、あるいは外部からの手動による撮影開始操作が行われたとき、前記デジタルカメラ機能による撮影が開始され、撮影された画像データは前記デジタルカメラ機能内にある画像メモリ内の運転監視用特定領域に記録され、前記加速度検出機能が一定レベル以上の加速度を検出したとき、前記エンジンが動作停止状態になったとき、あるいは外部からの手動による撮影停止操作が行われたとき、前記デジタルカメラ機能による撮影および画像メモリ内の運転監視用特定領域への記録が停止されることを特徴とする請求項１記載の簡易型運転監視装置。
【請求項４】
前記加速度検出機能が一定レベル以上の加速度を検出したとき、前記デジタルカメラ機能付き携帯電話機の電話機能を利用して、予め設定されている通報先への異常発生の自動通報、あるいは前記画像メモリ特定領域に記録された画像データ等の自動伝送、を行うことを特徴とする請求項３記載の簡易型運転監視装置。
【手続補正２】
【補正対象書類名】明細書
【補正対象項目名】０００４
【補正方法】変更
【補正の内容】
【０００４】
さらに、最近のデジタルカメラ機能を有する携帯電話機には動画像撮影の可能化、高画素数化、画像メモリの大容量化等デジタルカメラ機能の高度化が進んできた結果、このデジタルカメラ機能での撮影画像を運転監視に供することも充分可能となってきた。
【特許文献１】特許公開２００１−  ５５１７５公報
【特許文献２】特許公開２０００−  ９１９８０公報
【特許文献３】特許公開２００２−３４２８６０公報
【手続補正３】
【補正対象書類名】明細書
【補正対象項目名】０００５
【補正方法】変更
【補正の内容】
【０００５】
本発明は、車両運転時に発生した交通事故等の原因の事後解析・究明用として、また車両運転者の運転状況の監視用としてその有効性が明らかとなってきている運転監視装置を、ドライバーにとって運転中は不要となるデジタルカメラ付き携帯電話機を利用して安価に、小型に、車両内への設置を容易化して実現するとともに、携帯電話機能を有効活用して付加価値をも向上させて、その広範な普及を計ろうとするものである。
【手続補正４】
【補正対象書類名】明細書
【補正対象項目名】０００６
【補正方法】変更
【補正の内容】
【０００６】
動画像撮影あるいは静止画像の間欠撮影が可能なデジタルカメラ機能付き携帯電話機（以後携帯電話機という）と、前記携帯電話機を装着しそれを車両の振動あるいは事故時等に発生する衝撃に対して確実に保持する加速度検出機能をもった車載クレイドルとをもって、簡易型運転監視装置を構成する。前記車載クレイドルは前記携帯電話機を装着した状態で前記携帯電話機の有するデジタルカメラ機能の撮影対象、例えば車両進行方向前方、後方、あるいは当該車両の運転者等、を正しく撮影できるように構成・設置される。
【手続補正５】
【補正対象書類名】明細書
【補正対象項目名】０００７
【補正方法】変更
【補正の内容】
【０００７】
前記携帯電話機が前記車載クレイドルに正常に装着された状態で前記携帯電話機は通常使用時の通常モードに代えて監視モードに設定される。前記監視モードにおいては、撮影開始条件、例えば車両のエンジンが動作状態であることの検知あるいは外部からの手動操作による撮影開始指示等、によって撮影は開始され、これ以降前記加速度検出機能による一定レベル以上の加速度出力による撮影停止の信号、エンジン動作の停止、車両走行停止後一定時間の経過あるいは外部からの手動操作、による撮影停止指示がない限り撮影は継続される。また監視モード中に前記デジタルカメラ機能によって撮影された画像データは、撮影日時データ、前記加速度検出機能出力による加速度データ等の付属データとあわせて前記デジタルカメラ機能内の画像メモリの特定領域に順次エンドレス記録される。
ここで画像メモリ内特定領域とは、前記通常モード時にデジタルカメラ機能が撮影した画像データを記録する画像メモリとは別に、前記監視モード時に撮影した画像データおよびその関連データに限って記録するメモリ領域であり、デジタルカメラ機能付き携帯電話機内、あるいは車載クレイドル内に設ける。
【手続補正６】
【補正対象書類名】明細書
【補正対象項目名】０００９
【補正方法】変更
【補正の内容】
【０００９】
また前記車載クレイドルが有する加速度検出機能を構成する加速度センサー出力が、あらかじめ設定された値α1以上の加速度を検出した場合、運転中に交通事故等の異常が発生したとして、直ちにあるいは異常発生から一定時間ＴＥ後、撮影および画像メモリ特定領域への画像データの記録は停止されまた前記監視モードは解除される。この撮影あるいは記録の停止によって前記画像メモリ中の画像データは異常発生直前から異常発生までの時間ＴＡあるいは異常発生直前から直後の時間ＴＡ＋ＴＥの画像データを含んだデータとなり、後刻前記画像メモリの内容を再生することによって事故の解析・究明が可能となる。
前記監視モードの解除に際して、デジタルカメラ付き携帯電話機の電話機能を利用して予め設定した通報先に異常発生の自動通報を行う、あるいは画像メモリ特定領域内に記録されている画像データ等の自動伝送を行う、ことも可能である。
【手続補正７】
【補正対象書類名】明細書
【補正対象項目名】００１０
【補正方法】変更
【補正の内容】
【００１０】
またカメラの撮影対象を運転者とする場合は、前記加速度センサ出力の設定値は、交通事故等の異常時に発生する加速度α１ではなく、事故要因となるような乱暴な運転を検知できる程度の値α２（＜α１）に設定する。従って撮影中前記設定加速度α２を検出しても撮影の停止あるいは記録の停止は行わず、乱暴な運転が行われたことが後刻の再生時にわかるように前記画像メモリに前記画像データ、時刻データ等と合わせて前記設定加速度値α２を超えたことを記録するにとどめ撮影は続行する。
この場合の前記特定領域のメモリ容量は、前記運転者の挙動を連続して記録できるだけの容量とする必要があることは言うまでもない。またこの場合も、前記記録と並行して、デジタルカメラ付き携帯電話機の電話機能を利用して画像メモリ特定領域に記録されるデータを予め設定された伝送先に順次伝送することも可能である。
【手続補正８】
【補正対象書類名】明細書
【補正対象項目名】００１１
【補正方法】変更
【補正の内容】
【００１１】
前記交通事故等の異常の発生がない場合即ち撮影中に事故等に対応する加速度α１の検出がなされなかった場合は、前記携帯電話機の前記車載クレイドルからの離脱、エンジン動作の停止、車両の走行停止後一定時間経過、あるいは手動での撮影停止操作等で撮影は停止し、前記監視モードは解除される。
【手続補正９】
【補正対象書類名】明細書
【補正対象項目名】００１６
【補正方法】変更
【補正の内容】
【００１６】
図１に本発明による簡易型運転監視装置の一構成例を、図２に図１構成例における画像メモリ部内の運転監視用特定領域（以後特定領域という）への画像データ記録方法を、図３に図１構成例におけるセンサ部の内部構成例を、図４に図１構成例における撮影開始／停止の手順例を示す。尚、以下の説明においてデジタルカメラ機能付き携帯電話機に関しての説明は本発明の簡易型運転監視装置に直接かかわる部分のみとし、一般的な携帯電話機としての機能・動作説明は省略する。
【手続補正１０】
【補正対象書類名】明細書
【補正対象項目名】００１７
【補正方法】変更
【補正の内容】
【００１７】
図１において、
１は、電話部１１、操作・制御部１２、表示部１３、デジタルカメラ部１４、画像メモリ部１５、電源部１６、および携帯電話機側接続部１Ａ１７、携帯電話機側接続部１Ｂ１８から構成される携帯電話機。
【手続補正１１】
【補正対象書類名】明細書
【補正対象項目名】００１８
【補正方法】変更
【補正の内容】
【００１８】
１１は、操作・制御部１２によって操作・制御され、音声通話機能およびデータ通信機能を有する電話部。
１２は、外部からの操作入力によりあるいはセンサ部２２出力により、電話部１１、表示部１３、デジタルカメラ部１４、および画像メモリ部１５の操作および制御を行う操作・制御部。
１３は、電話部１１、デジタルカメラ部１４および画像メモリ部１５の操作・制御にかかわる各種表示、デジタルカメラ部での撮影時に撮影対象表示あるいは画像メモリ部１４に蓄積されている撮影画像データの画像再生表示等を行う表示部。
【手続補正１２】
【補正対象書類名】明細書
【補正対象項目名】００１９
【補正方法】変更
【補正の内容】
【００１９】
１４は、操作・制御部１２により撮影条件の設定、撮影の開始・停止等が制御され、動画撮影および一定時間間隔ごとの静止画撮影が可能なデジタルカメラ部。
１５は、デジタルカメラ部１４で撮影された画像データを記録する画像メモリ部であり、画像データは操作・制御部１２の制御にしたがって本画像メモリの特定領域内に順次エンドレス記録される。即ち、図２に示す如く撮影が開始されるとその結果の画像データは画像メモリ内特定領域の開始点ＭＳから順次記録されていく。記録が画像メモリ内特定領域の終了点ＭＥに到達してもさらに撮影が継続される場合の画像データは前記開始点ＭＳに戻って過去に記録された画像データ上に順次上書きされる。撮影途中ＳＰ１点で後記異常信号１が発生したときはそこで記録を停止する、あるいは異常信号１発生一定時間ＴＥ後のＳＰ２点で記録を停止する。後刻画像メモリから異常信号発生ＴＡ前であるＳＰ０点からのデータを再生することにより事故発生直前ＴＡの間（ＳＰ０〜ＳＰ１間）、あるいは事故発生ＴＡ前から事故発生ＴＥ後間（ＳＰ０〜ＳＰ２間）の車両走行前方の状況が確認できることになる。
【手続補正１３】
【補正対象書類名】明細書
【補正対象項目名】００２５
【補正方法】変更
【補正の内容】
【００２５】
図４において、
携帯電話機１の監視モード設定およびデジタルカメラ部１４での撮影開始は、先ず携帯電話機１が車載クレイドル２に装着されたか否かを監視し装着が確認された場合は携帯電話機１を監視モードに設定する（４０１、４０２、４０３参照）。その後エンジンが動作状態かあるいは手動操作での撮影開始指示がなされたかを確認し（４０４参照）いずれかが確認された場合はデジタルカメラ部１４での撮影を開始する（４０５参照）。
【手続補正１４】
【補正対象書類名】明細書
【補正対象項目名】００２７
【補正方法】変更
【補正の内容】
【００２７】
即ち、携帯電話機１を持った運転者が車両に搭乗し携帯電話機１を車載クレイドル２に装着すると、装着によって車載クレイドル２のセンサ部２２からの前期信号列を正常受信を確認した操作・制御部１２は携帯電話機１のモードを監視モードに設定する。その後前記エンジン動作判定信号でのエンジン動作中の確認あるいは手動操作による撮影開始指示を待って、デジタルカメラ部１４での撮影が開始される。
【手続補正１５】
【補正対象書類名】明細書
【補正対象項目名】００２８
【補正方法】変更
【補正の内容】
【００２８】
撮影された画像データは画像メモリ部１５に送られ画像メモリ部１５の特定領域に順次エンドレス記録される。即ち前記送られた画像データ量が前記特定領域のメモリ容量を超えた場合は前記特定領域に書き込まれている古いデータから順次新たな画像データに書き代えられる。運転中に交通事故等による急停車が起こると、センサ部２２の加速度センサから異常信号１が出力され、それを受けた操作・制御部１２はデジタルカメラ部１４での撮影を停止し且つ携帯電話機１の監視モードを解除する。
【手続補正１６】
【補正対象書類名】明細書
【補正対象項目名】００３０
【補正方法】変更
【補正の内容】
【００３０】
前記実施例１においてはデジタルカメラ部の撮影対象を車両走行方向前方としたが、それに代えて本実施例２では運転者自身とする。この場合図１、図２に示す構成例中のセンサ部２２中の加速度センサ２２１の設定値はα２（＜α１）とし、α２以上α１未満の加速度を検出した場合センサ部から出力される異常信号２を受けた操作・制御部１２はデジタルカメラ部１４の撮影停止は行わず、単にその旨の情報を画像メモリ１５に前記画像データ・時刻データとあわせて記録するにとどめ、撮影は継続する。
【手続補正１７】
【補正対象書類名】明細書
【補正対象項目名】００３１
【補正方法】変更
【補正の内容】
【００３１】
本発明はデジタルカメラ機能付き携帯電話機の機能を有効活用して簡易型運転監視装置を構成したものであり、安価、小型で且つ車室内への設置が容易な運転監視装置の実現が可能になるとともに、デジタルカメラ機能付き携帯電話機の普及にも有効である。
【手続補正１８】
【補正対象書類名】明細書
【補正対象項目名】００３３
【補正方法】変更
【補正の内容】
【００３３】
図１において、
１：携帯電話機
１１：電話部
１２：操作・制御部
１３：表示部
１４：デジタルカメラ部
１５：画像メモリ部
１６：電源部
１７：携帯電話機側接続部１Ａ
１８：携帯電話機側接続部１Ｂ
２：車載クレイドル
２１：電源供給部
２２：センサ部
２３：車載クレイドル側接続部２Ａ
２４：車載クレイドル側接続部２Ｂ
【手続補正１９】
【補正対象書類名】明細書
【補正対象項目名】００３６
【補正方法】変更
【補正の内容】
【００３６】
図４において、
４０１、４０２、４０３、４０４、４０５、４０６、４０７、４０８、４０９、４１０、４１１：デジタルカメラ撮影開始・停止、および携帯電話機監視モード設定・解除手順
である。
【手続補正２０】
【補正対象書類名】図面
【補正対象項目名】図１
【補正方法】変更
【補正の内容】
【図１】
2005313858.tif 000001